(57)【要約】【課題】  寸法の異なる電池をそれぞれレンズ付きフイルムユニットに収納可能とし、且つ構成部品をローコストに提供する。【解決手段】  レンズ付きフイルムユニットを構成する構成部品である第１の本体基部２９は、電池を保持する保持突起部３５，３６が一体に形成されている。レンズ付きフイルムユニットに軸長の長い電池を収納するときには、保持突起部３５を削除して、その代わりの保持突起片６１を固着して第２の本体基部５９を形成する。【選択図】        図５
2005099365.tif 000002
【特許請求の範囲】
【請求項１】
パトローネ室と、フイルムロール室と、前記パトローネ室と前記フイルムロール室との間に位置するアパーチャと、前記パトローネ室と前記フイルムロール室との間で且つ前記アパーチャの下部に位置し、レンズ付きフイルムユニットに第１の電池を内蔵するときに前記パトローネ室との間、又は前記フイルムロール室との間に前記第１の電池を保持する保持突起部とを一体に形成した第１の本体基部を使用し、レンズ付きフイルムユニットに前記第１の電池よりも軸長の長い第２の電池を内蔵するときに前記第１の本体基部から前記保持突起部の全て又は一部を削除し、前記パトローネ室との間、又は前記フイルムロール室との間に前記第２の電池を保持する保持突起片を前記保持突起部の代わりに固着して第２の本体基部を形成するレンズ付きフイルムユニット構成部品の製造方法。
【請求項２】
請求項１記載の製造方法により製造された前記第２の本体基部と、前記第２の電池と、発光回路、この発光回路に給電するための給電回路、及び前記発光回路により発光される発光部を回路基板に実装して一体に設けたストロボユニットと、前記第２の電池と前記保持突起片との間に挟持され、且つ前記給電回路と前記第２の電池とを電気的に接続する電極接片とからなることを特徴とするレンズ付きフイルムユニット。
【請求項３】
前記電極接片と前記給電回路とは、リード線を介して電気的に接続されていることを特徴とする請求項２記載のレンズ付きフイルムユニット。
【発明の詳細な説明】
【技術分野】
【０００１】
本発明は、異なる２種類の電池をそれぞれ収納するレンズ付きフイルムユニット構成部品の製造方法、及びこの製造方法により製造された構成部品を使用するレンズ付きフイルムユニットに関するものである。
【背景技術】
【０００２】
予め写真フイルムが装填された１回使用型の簡易型カメラとして、レンズ付きフイルムユニットが知られている。従来、レンズ付きフイルムユニットには、単３、単４型規格の乾電池が内蔵されることが一般的である。この単３，４型規格の乾電池は主に、レンズ付きフイルムユニットに組み込まれたストロボ装置の電源として用いられる。また、近年では、環境負荷の低減を図るために、ストロボ回路の省電力設計も進み、容量の大きい単３型から、より小さい単４型電池又はさらに小型の電池への切り替えが考えられており、このような小型の電池を使用することで、ＣＯ2 排出量の低減を図ることが望まれている。
【０００３】
上述したようにレンズ付きフイルムユニットに内蔵される乾電池は、レンズ付きフイルムユニットを構成する他の部品群と比較しても、寸法、重量ともに大きく、レンズ付きフイルムユニットの小型化を図るためには、乾電池の配置に様々な工夫を施すことが必要だった。
【０００４】
そこで、特許文献１では、レンズ付きフイルムユニットのユニット本体の構成が、撮影レンズなどを保持する鏡胴部、パトローネを収納するパトローネ室、及びフイルムを巻き取っておくスクロール室とからなり、鏡胴部とパトローネ室との間隙に乾電池を配置するとともに、この乾電池の反対側、すなわち鏡胴部とスクロール室との間隙に、ストロボ用のメインコンデンサを配置することによって部品配置の効率を向上し、レンズ付きフイルムユニットの小型化を図ろうとしている。
【０００５】
【特許文献１】特開平１０−２５４０３３号公報
【発明の開示】
【発明が解決しようとする課題】
【０００６】
そこで、上述したようなレンズ付きフイルムユニットのさらなる小型化を図るための工夫として、単３型よりも小さい単４型電池、又は従来規格とは異なる寸法の小型乾電池をレンズ付きフイルムユニット用の電池として使用することが考えられている。すなわち、このような小型の電池を使用することで、レンズ付きフイルムユニット内部の部品配置の効率を向上して小型化を可能とする。また、小型の電池を使用することで環境負荷の低減を図ることもできる。
【０００７】
しかしながら、レンズ付きフイルムユニットには、さまざまな種類があり、機種によっては、従来通り、単３型電池を使用したいという要望もあるが、小型の電池に合わせてレンズ付きフイルムユニットの構成部品を形成すると、単３型などの大型の電池では、収納することができない。電池のサイズの異なる機種ごとに構成部品を形成すると、コストが大幅に増加し、レンズ付きフイルムユニットのローコスト化を妨げることになる。
【０００８】
本発明は上記課題を解決するためになされたものであり、寸法の異なる２種類の電池に合わせたレンズ付きフイルムユニットの構成部品で、それぞれの電池を収納可能であり、且つのその構成部品をローコストに製造することが可能なレンズ付きフイルムユニット構成部品の製造方法、及びレンズ付きフイルムユニットを提供することを目的とするものである。
【課題を解決するための手段】
【０００９】
前記目的を達成するために、本発明のレンズ付きフイルムユニット構成部品の製造方法では、パトローネ室と、フイルムロール室と、前記パトローネ室と前記フイルムロール室との間に位置するアパーチャと、前記パトローネ室と前記フイルムロール室との間で且つ前記アパーチャの下部に位置する保持突起部とからなる第１の本体基部を一体成形するとともに、レンズ付きフイルムユニットに第１の電池を内蔵するときには、前記第１の本体基部の前記保持突起部と前記パトローネ室との間、又は前記保持突起部と前記フイルムロール室との間に前記第１の電池を保持し、レンズ付きフイルムユニットに前記第１の電池よりも軸長の長い第２の電池を内蔵するときには、前記第１の本体基部から前記保持突起部の全て又は一部を削除し、前記保持突起部の代わりの保持突起片を前記第１の本体基部に固着して第２の本体基部を形成し、前記保持突起片と前記パトローネ室との間、又は前記保持突起片と前記フイルムロール室との間に前記第２の電池を保持することを特徴とする。
【００１０】
また、本発明のレンズ付きフイルムユニットでは、前記第２の本体基部と、前記第２の電池と、発光回路、この発光回路に給電するための給電回路、及び前記発光回路により発光される発光部を回路基板に実装して一体に設けたストロボユニットと、前記第２の電池と前記保持突起片との間に挟持され、且つ前記給電回路と前記第２の電池とを電気的に接続する電極接片とからなることを特徴とする。なお、前記電極接片と前記給電回路とは、リード線を介して電気的に接続されていることが好ましい。
【発明の効果】
【００１１】
本発明のレンズ付きフイルムユニット構成部品の製造方法は、第１の本体基部を一体成形するとともに、この第１の本体基部から保持突起部の全て又は一部を削除し、保持突起部の代わりの保持突起片を第１の本体基部に固着して第２の本体基部を形成し、保持突起片とパトローネ室との間、又は保持突起片とフイルムロール室との間に軸長の長い第２の電池を保持するようにしたので、構成部品をローコストに製造し、部品の多くを共用化しつつ、寸法の異なる２種類の電池をレンズ付きフイルムユニットにそれぞれ収納することができる。
【００１２】
また、本発明のレンズ付きフイルムユニットでは、前記第２の本体基部と、第２の電池と、発光回路、この発光回路に給電するための給電回路、及び発光回路により発光される発光部を回路基板に実装して一体に設けたストロボユニットと、第２の電池と保持突起片との間に挟持され、且つ給電回路と第２の電池とを電気的に接続する電極接片とから構成されているので、軸長の長い第２の電池を収納可能としつつ、ローコスト化を図ることができる。
【発明を実施するための最良の形態】
【００１３】
図１は、本実施形態に係るレンズ付きフイルムユニットを示す外観斜視図であり、図２は、その分解斜視図である。本実施形態では、寸法の異なる２種類の電池に合わせた２種類のレンズ付きフイルムユニット１１，１２を組み立てることが可能である。以下では、説明の都合上、小型の電池を電源として使用する第１のレンズ付きフイルムユニット１１から先に説明する。
【００１４】
このレンズ付きフイルムユニット１１は、各種撮影機構が組み込まれたユニット本体１５と、このユニット本体１５を部分的に覆う外装用のラベルシート１６とから構成されている。ユニット本体１５の前面には、撮影レンズ１７、対物側ファインダ窓１８、ストロボ発光部１９、ストロボ充電切替スイッチ２０等が設けられている。また、ユニット本体１５の上面には、レリーズボタン２１、残り撮影可能コマ数を表示するカウンタ窓２２、ストロボ充電表示用のライトガイド２３が形成されている。さらに、ユニット本体１５の背面側には、巻上げノブ２４、接眼側ファインダ窓などが露呈される。
【００１５】
図２に示すように、ユニット本体１５は、露光ユニット２６、第１のストロボユニット２７、カウンタ機構等が組み込まれる第１の本体基部２９と，その第１の本体基部２９の前後を覆うように取り付けられる前カバー３０、及び後カバー３１とから構成されている。前カバー３０には、撮影レンズ１７、対物側ファインダ窓１８、ストロボ発光部１９、ストロボ充電切替スイッチ２０等を露呈するための開口が形成されている。
【００１６】
第１の本体基部２９には、左右にパトローネ室３２とフイルムロール室３３と、それらの間に位置するアパーチャ３４（図３参照）と、後述する保持突起部３５，３６とが一体成形されており、アパーチャ３４の前方に露光ユニット２６が設けられている。保持突起部３５は、パトローネ室３２とフイルムロール室３３との間で、且つアパーチャ３４の下部に位置し、前方に向かって突出している。また、保持突起部３６は、フイルムロール室３３に隣接する位置で且つアパーチャ３４の下部に位置している。
【００１７】
また、露光ユニット２６とフイルムロール室３３との間には、第１のストロボユニット２７が爪結合により取り付けられる。また、パトローネ室３２及びフイルムロール室３３には、フイルムカートリッジ３７と写真フイルム３８をロール状にしたフイルムロール３８ａとがそれぞれ装填される。このパトローネ室３２の上部には巻上げノブ２４が回動自在に配置され、その下部に一体に設けられた軸部材がパトローネ室３２に収納されたフイルムカートリッジ３７のスプール３７ａに係合される。この巻上げノブ２４を図中反時計方向に回動させることにより、撮影済の写真フイルム３８がフイルムカートリッジ３７内に巻き上げられる。
【００１８】
後カバー３１は、第１の本体基部２９の背面を覆うように取り付けられ、第１の本体基部２９との間に，フイルムロール室３３からアパーチャ３４の背後を通ってパトローネ室３２に至るまでのフイルム給送路を形成する。このフイルム給送路を通って写真フイルム３８がフイルムロール室３３からパトローネ室３２の内部に装填されたフイルムカートリッジ３７に収納される。また、後カバー３１には、その底部に底蓋３１ａ，３１ｂが形成されており、これらの底蓋３１ａ，３１ｂによってパトローネ室３２とフイルムロール室３３の底部が光密に閉じられる。そして、この後カバー３１が第１の本体基部２９の背後を光密に塞ぐことによって、その内部に遮光空間３９が形成されている。
【００１９】
第１のストロボユニット２７は、詳しくは図３に示すように、回路基板４０にストロボ発光部１９、メインコンデンサ４１、シンクロスイッチ４２等を組み付けてユニット化したものである。さらに、回路基板４０には、詳しくは図示しないが、ストロボ発光部１９を発光させる発光回路、及びこの発光回路に給電するための給電回路が実装されている。また、この回路基板４０には、本体基部２９に形成された係合爪２９ａと係合する係合穴４０ａが形成されている。
【００２０】
この第１のストロボユニット２７は、ストロボ充電切替スイッチ２０が上方に向けてスライド操作されると、回路基板４０の前面に設けられた金属接点４３がＯＮとなって給電回路がＯＮ状態となり、メインコンデンサ４１への充電が開始される。さらに、この第１のストロボユニット２７は、シャッタ機構を作動させたときに回動するシャッタ羽根（図示せず）によりシンクロスイッチ４２が短絡して発光回路がＯＮ状態となり、ストロボ光を発光させるようになっている。
【００２１】
回路基板４０の一端には、正極接片４８と負極接片４９とが取り付けられている。この正極接片４８、及び負極接片４９は全体が金属板で折り曲げ形成され、回路基板４０に係合及びハンダ付けによって固定されており、専用電池（以下、単に電池と称する。）５０の正極端子５２及び負極端子５３に各々接触する。この正極接片４８及び負極接片４９に電池５０を装着すると、電池５０と給電回路とが電気的に接続される。
【００２２】
本実施形態において第１のレンズ付きフイルムユニット１１に使用される第１の電池５０は、レンズ付きフイルムユニット１１専用の電池であり、従来の規格、例えば単３，単４型の電池とは異なる寸法のものである。
【００２３】
また、正極接片４８及び負極接片４９の寸法は、電池５０の寸法に合わせて形成されており、正極端子５２と接触する正極接片４８の接触部４８ａと、負極端子５３と接触する負極接片４９の接触部４９ａの間隔ＬD1は、電池５０の軸長Ｌ1 に合わせて形成されている。
【００２４】
レンズ付きフイルムユニット１１の内部における電池５０の周囲は、詳しくは図４に示すような構成となっている。すなわち、電池５０は、正極接片４８及び負極接片４９の弾性力によって両端から挟み込まれて第１のストロボユニット２７とともに第１の本体基部２９に固定される。さらに、保持突起部３５，３６は、正極接片４８及び負極接片４９とそれぞれ当接している。これによって、電池５０は、保持突起部３５，３６の間に保持されて、パトローネ室３２とフイルムロール室３３との間で、且つアパーチャ３４の下部の位置に固定される。
【００２５】
なお、上述した保持突起部３５のうち、正極端子５２側に位置する保持突起部３５は、その内部が中空構造となった中空突起部となっている。この保持突起部３５の中空部３５ａは、遮光空間３９と連続する空間となっている。
【００２６】
次に、上述した第１のレンズ付きフイルムユニット１１と部品を共用し、且つ電池５０よりも大型の電池を電源として使用する第２のレンズ付きフイルムユニット１２の構成について説明する。なお、以下で説明する図５、図６及び図７において、上述の第１のレンズ付きフイルムユニット１１と同じ部品及び部材を使用するものについては、同符号を付して説明を省略する。
【００２７】
第２のレンズ付きフイルムユニット１２は、第１のレンズ付きフイルムユニット１１を構成する第１の本体基部２９に変更を加えて形成した第２の本体基部５９を構成部品として使用している。図５に第２の本体基部５９を形成するときのプロセスを図示する。
【００２８】
図５（Ａ）は、変更を加える前の状態である第１の本体基部２９を示す。そして先ず、図５（Ｂ）に示すように、保持突起部３５を、その根元から切削加工などにより削除して、第１の本体基部２９から取り除く。この図５（Ｂ）に示す状態のとき、保持突起部３５を削除された跡に開口部６０が形成されている。
【００２９】
そして、図５（Ｃ）に示すように、保持突起部３５の代わりに、保持突起片６１で開口部６０を塞ぎ、さらにこの保持突起片６１を固着して第２の本体基部５９が形成される。      
【００３０】
第２の本体基部５９の構成は、詳しくは図６及び図７に示すようになっている。第２の本体基部５９を構成する保持突起片６１は、略Ｌ字状に成形されており、前方に突出する前方突出部６１ａと、この前方突出部６１ａの後端から連続し、前方突出部６１ａに対して垂直に位置する平面部６１ｂとからなる。さらに前方突出部６１ａの一方の側面、及び平面部６１ｂの背面には、位置決め突起部６１ｃ，６１ｄが一体に形成されている。この保持突起片６１を固着するときには、位置決め突起部６１ｃ，６１ｄを開口部６０の周縁に当接させることにより位置決めして開口部６０を塞いだ後、接着または溶着などを施して固着する。これによって、遮光空間３９の遮光状態を第１のレンズ付きフイルムユニット１１と同様に保っている。
【００３１】
さらに、保持突起片６１の前方突出部６１ａは、第１の本体基部２９において保持突起部３５が形成されていた位置よりも、パトローネ室３２の方に近接した位置に形成されている。これによって、保持突起部３６との間の距離が広くなり、第１の電池５０よりも軸長の長い電池が収納可能となる。
【００３２】
第２のレンズ付きフイルムユニット１２のユニット本体６２は、図６に示すように、第２の本体基部５９に、露光ユニット２６と、後述する第２のストロボユニット６３等が組み込まれて、さらに、この第２の本体基部５９の前後を覆うように前カバー３０、及び後カバー３１が取り付けられて構成されている。
【００３３】
第２のストロボユニット６３は、回路基板４０の一端に、負極接片４９が取り付けられているとともに、リード線６４を介して正極接片６５が接続されている。すなわち、リード線６４の一端部は正極接片６５に、他端部は回路基板４０にそれぞれハンダ付けされている。正極接片６５は、略矩形の板状に、金属板で折り曲げ形成されている。この正極接片６５は、保持突起片６１の前方突出部６１ａに固着される。正極接片６５の保持突起片６１への固着は、例えば接着により行われる。なお、負極接片４９は、第１の本体基部２９に組み込まれたときと同様に、保持突起部３６に当接する。
【００３４】
このストロボユニット６３の正極接片６５、 及び負極接片４９は、電池６６の正極端子６７と負極端子６８に各々接触する。この正極接片６５及び負極接片４９に電池６６を装着すると、電池６６と給電回路とが電気的に接続される。
【００３５】
なお、正極接片６５としては、上述した第１のストロボユニット２７で使用した正極接片４８の接点周辺部分だけを切り取って使用してもよい。また、回路基板４０と正極接片６５とは、リード線６４を介しての接続となっているが、これに限らず、正極接片４８よりも寸法の長い電極接片を形成して、回路基板４０と直接接続するようにしてもよい。
【００３６】
本実施形態において、第２のレンズ付きフイルムユニット１２に使用される第２の電池６６は、その軸長Ｌ2 が、第１の電池５０の軸長Ｌ1 よりも長いものが使用されており、例えば単３型規格の電池が使用されている。上述したように、保持突起片６１の前方突出部６１ａがパトローネ室３２の方に近接した位置に形成されているので、軸長Ｌ2 が長い電池６６でも収納可能となっている。そして、電池６６の正極端子６７と接触する正極接片６５の接触部６５ａと、負極端子６８と接触する負極接片４９の接触部４９ａの間隔ＬD2は、電池６６の軸長Ｌ2 に合わせて形成されている。
【００３７】
この電池６６は、第２の本体基部５９にストロボユニット６３が組み込まれた後に、正極接片６５及び負極接片４９の間に挟み込まれて第２の本体基部５９に固定される。すなわち、正極接片６５は、電池６６の正極端子６７と保持突起片６１との間に挟持され、負極接片４９は、負極端子６８と当接する。これによって、電池６６は保持突起片６１及び保持突起部３６の間に保持されて、パトローネ室３２とフイルムロール室３３との間で、且つアパーチャ３４の下部の位置に固定される。
【００３８】
上記構成の作用について、以下に説明する。第１のレンズ付きフイルムユニット１１が組み立てられるとき、樹脂成形により一体成形された第１の本体基部２９が使用される。第１の本体基部２９には、露光ユニット２６、カウンタ機構などが組み込まれ、さらに、ストロボユニット２７とともに、第１の電池５０が本体基部２６に組み込まれて保持突起部３５，３６の間に電池５０が保持される。そして、前カバー３０、及び後カバー３１が取り付けられてユニット本体１５となり、このユニット本体１５の中央部を帯状に一周するようにしてラベルシート１６が巻かれて貼着され、第１のレンズ付きフイルムユニット１１が完成する。
【００３９】
一方、第２のレンズ付きフイルムユニット１２が組み立てられるときには、上述したように第１の本体基部２９から保持突起部３５を削除し、保持突起部３５の代わりの保持突起片６１を固着して形成した第２の本体基部５９を使用する。第２の本体基部２９に露光ユニット２６、カウンタ機構などとともにストロボユニット６３が組み込まれた後、第２の電池６６が保持突起片６１及び保持突起部３６の間に保持されて、本体基部５９に固定される。そして、前カバー３０、及び後カバー３１が取り付けられてユニット本体６２となり、さらにラベルシート１６が貼着され、レンズ付きフイルムユニット１２が完成する。
【００４０】
このように、軸長の異なる電池５０，６６をそれぞれ収納するレンズ付きフイルムユニット１１，１２を、多くの部品を共用して組み立てることが可能であり、さらに、第１の本体基部２９から若干の変更のみで第２の本体基部５９に形成することができるので、ローコスト化、及び工程の容易化を図ることができる。
【００４１】
なお、上記実施形態においては、第１の本体基部２９の一方の保持突起部３５のみを削除し、その代わりの保持突起片６１を固着して第２の本体基部５９を形成しているが、これに限るものではなく、保持突起片３５，３６をともに削除し、その代わりの保持突起片を両方に固着して第２の本体基部を形成するようにしてもよい。この場合、電池を収納するスペースをさらに広げることができるので、第２の電池として、第１の電池との軸長の差が大きいものを使用するときに有効である。また、第１の本体基部から保持突起部を削除するときには、その全てを削除してもよいし、電池の収納スペースが広がるように一部分のみを削除するようにしてもよい。
【図面の簡単な説明】
【００４２】
【図１】第１のレンズ付きフイルムユニットの外観斜視図である。
【図２】第１のレンズ付きフイルムユニットの分解斜視図である。
【図３】第１のストロボユニット及び第１の本体基部周辺の構成を示す斜視図である。
【図４】第１のレンズ付きフイルムユニットの要部断面図である。
【図５】第１の本体基部から第２の本体基部を形成するときの工程を示す説明図である。
【図６】第２のストロボユニット及び第２の本体基部周辺の構成を示す斜視図である。
【図７】第２のレンズ付きフイルムユニットの要部断面図である。
【符号の説明】
【００４３】
１１，１２  レンズ付きフイルムユニット
２７，６３  ストロボユニット
２９，５９  本体基部
３２  パトローネ室
３３  フイルムロール室
３４  アパーチャ
３５，３６  保持突起部
４０  回路基板
４８，６５  正極接片
４９  負極接片
５０，６６  電池
６１  保持突起片
【図１】
2005099365.tif 000003
【図２】
2005099365.tif 000004
【図３】
2005099365.tif 000005
【図４】
2005099365.tif 000006
【図５】
2005099365.tif 000007
【図６】
2005099365.tif 000008
【図７】
2005099365.tif 000009